(57)【要約】【課題】軽量かつ装飾性を付加した中間反射式LED照明装置の提供である。【解決手段】中間反射式LED照明装置は、外周辺に対向配置したLED光源と粗表面の反射材と光拡散材とでなる中空平面体であり、対向LED光源の中間に前記反射材に接合配置した両面中間反射体と反射材とで光拡散材面の放光を略均一とし、かつ反射細帯材の反射光が光拡散材面に明るい線を出現させ、これが装飾的効果となるLED照明装置である。この照明装置は矩形の他、円形、半円形三等分と四等分円形があり、それらの組合せによる多様な複合照明装置を形成可能である。【選択図】  図１
2013145657.tif 000002
【特許請求の範囲】
【請求項１】
略全周または対向部分にLED基板を配置した外周枠体を反射材と光拡散材とで接合した中空構成体内の中央部に、反射体を配置し、電源モジュールとLED基板への接続配線を有することを特徴とする反射体式LED照明装置。
【請求項２】
前記反射体式照明装置において、LED基板を配置した対向する光源枠材と非光源枠材で形成する矩形枠体を反射材と光拡散材とで挟接合した中空構成体であって、対向した前記光源枠材の中間線上の所定寸法の両面中間反射体を前記反射材に接合配置し、電源モジュールとLED基板への接続配線を有することを特徴とする中間反射体式照明装置１A。
【請求項３】
前記反射体式照明装置において、LED基板を配置した対向する光源枠材と非光源枠材で形成する矩形枠体を反射材と光拡散材とで挟接合した中空構成体において、所定長寸法の漸増反射粗表面の中間部反射体を、その中間線を装置のそれに合わせかつ反射材に平行で両側の非光源枠材に接合配置し、さらに中間線位置に反射材と中間部反射体と両側の前記枠材とに接合する所定厚さの中間反射体を配置し、電源モジュールとLED基板への接続配線を有することを特徴とする中間部反射体式照明装置２A。
【請求項４】
内周面の半分が反射面であり、中間位置に両面中間反射体を軸線に垂直に配置した直管体であって、その両端にLED光源円筒体を接合し、電源モジュールとLED基板への接続配線を有することを特徴とする直管型中間反射体式照明装置１B。
【請求項５】
内周面の半分が反射面であり、所定長さの漸増粗面の平面反射体を所定内径位置にかつその反射体の中間線を装置のそれに合わせ配置した直管体であって、その両端にLED光源円筒体を接合し、電源モジュールとLED基板への接続配線を有することを特徴とする直管型中間部反射体式照明装置２B。
【請求項６】
前記反射体式照明装置において、略半周の湾曲光源枠材二つを接合した環状枠体を円形の反射材と光拡散材とで挟接合した中空構成の円盤体であり、前記反射材に接合して前記光拡散材に対し所定の隙間で略棒状反射体ないし両面中間反射体を円盤体中心点から等分割角度で外周方向へ伸展配置し、電源モジュールとLED基板への接続配線を有することを特徴とする円形中間反射体式照明装置１C。
【請求項７】
前記円形中間反射体式照明装置１Cを直径で二等分割、さらに三等分割、四等分割し、それら半円体、三分円体、四分円体の各分割面に片面反射体を配置し、かつそれぞれの分割中心点に略棒状反射体を光拡散材に対し所定の隙間で配置し、電源モジュールとLED基板への接続配線を有することを特徴とする半円形反射式照明装置1D、三分円形反射式照明装置１E、四分円形反射式照明装置１F。
【請求項８】
前記矩形中間反射式照明装置の両短辺側面に、前記半円形反射式照明装置の直径側面を接合し一体化し、電源モジュールと各LED基板への接続配線を有することを特徴とする長円形中間反射式照明装置１G。
【請求項９】
前記の矩形中間反射式照明装置および円形中間反射式照明装置および半円形反射式照明装置および三分円または四分円状反射式照明装置の各照明装置自体のみでなる複数構成の複合中間反射式照明装置、および二種以上の前記照明装置それぞれが一以上の組合せ構成を特徴とする、前記長円形中間反射式照明装置１G を除いた、複合中間反射式照明装置。
【発明の詳細な説明】
【技術分野】
【０００１】
本発明は、両端部または外周部に配置のLED光源の中間ないし中間部に両面反射体を配置した中間反射式LED照明装置およびその変形装置である。
【背景技術】
【０００２】
重い導光板を使用せずに、外周の二端辺に配置した光源枠材を、光源から離れるにつれ反射粗表面の漸増する反射材と照明光を外部へ放光する光拡散材とが挟む中空構造の、反射式LED照明装置が開発されつつある。
【先行技術文献】
【特許文献】
【０００３】
【特許文献１】特願  ２０１１−１８１０９９
【発明の概要】
【発明が解決しようとする課題】
【０００４】
開発中の前記反射式LED照明装置は、光拡散材つまり照明放光面の光源から離れる中間部の明るさが不足し易く、またこの明るさの均性一があってもフラット的な単調さを伴うので、これら弱点を反射体を配置することにより改善し、また明るい線模様などでアクセントのある照明面となる中間反射式LED照明装置を提供する。
【課題を解決するための手段】
【０００５】
本発明の中間反射式LED照明装置は、略全周または対向部分にLED基板を配置した外周枠体を反射材と光拡散材とで接合した中空構成体内の中央部に、反射体を配置し、電源モジュールとLED基板への接続配線を有する照明装置である。
【０００６】
本発明の中間反射体式照明装置は、LED基板を配置した対向する光源枠材と非光源枠材で形成する矩形枠体を反射材と光拡散材とで挟接合した中空構成体であって、対向した前記光源枠材の中間線上の所定寸法の両面中間反射体を前記反射材に接合配置し、電源モジュールとLED基板への接続配線を有する照明装置である。
【０００７】
本発明の中間部反射体式照明装置は、LED基板を配置した対向する光源枠材と非光源枠材で形成する矩形枠体を反射材と光拡散材とで挟接合した中空構成体において、所定長さと照明装置の巾に略等しい内巾の漸増する反射粗表面の中間部反射体を、その中間線を装置のそれに合わせ、かつ反射材と平行で両側枠材に接合配置し、さらに中間線位置に反射材と中間部反射体と両側の前記枠材とに接合する所定厚さの中間反射体を配置した、電源モジュールとLED基板への接続配線を有する照明装置である。
【０００８】
本発明の直管型中間反射体式照明装置は、内周面の半分が反射面であり、中間位置に両面中間反射体を軸線に垂直に配置した直管体であって、その両端にLED光源円筒体を接合し、電源モジュールとLED基板への接続配線を有する照明装置である。
【０００９】
本発明の直管型中間部反射体式照明装置は、内面の半分が反射面であり、所定長さの漸増粗面の平面反射体を所定内径位置にかつその反射体中間線を装置のそれに合わせ配置した直管体であって、その両端にLED光源円筒体を接合し、電源モジュールとLED基板への接続配線を有する照明装置である。
【００１０】
本発明の円形中間反射体式LED照明装置は、略半周の湾曲光源枠材二つを接合した環状枠体を円形の反射材と光拡散材とで挟接合した中空構成の円盤体であり、前記反射材に接合して前記光拡散材に対し所定の隙間で両面中間反射体を円盤体中心点から等分割角度で外周方向へ伸展配置し、電源モジュールとLED基板への接続配線を有する照明装置である。
【００１１】
本発明の半円形中間反射式LED照明装置、三分円形反射式照明装置および四分円形反射式照明装置は、前記円形中間反射式照明装置１Bを直径で二等分割、さらに三等分割、四等分割し、それら半円体、三分円体、四分円体の各分割面に片面乱反射面体を配置し、かつそれぞれの分割中心点に、反射体を光拡散材と所定の隙間で配置し、電源モジュールとLED基板への接続配線を有することを特徴とする照明装置である。
【００１２】
本発明の長円形中間反射式LED照明装置は、前記矩形中間反射式照明装置の両短辺側面に、前記半円形反射式照明装置の直径側面を接合し一体化し、電源モジュールと各LED基板への接続配線を有する長円形中間反射式照明装置である。
【００１３】
本発明の複合中間反射式照明装置は、前記の矩形中間反射式照明装置および円形中間反射式照明装置および半円形反射式照明装置および三分円または四分円状反射式照明装置の各照明装置自体のみでなる複数構成の複合照明装置、および二種以上の照明装置それぞれが一以上の組合わせ構成の、前記長円形中間反射式照明装置を除いた複合照明装置である。
【発明の効果】
【００１４】
本発明の中間反射式LED照明装置は、光拡散材である照明放光面の中間部に直線または曲線の明るい模様部が表示され、その均一化された照明面にアクセントが付きメリハリのある装飾性を伴う照明装置である。
【発明を実施するための最良の形態】
【００１５】
本発明を図1より図６に基づいて説明する。  
図1参照。本発明の正方形を含む矩形の中間反射体式LED照明装置１Aは、中空構成の既存反射式照明装置（参照  特願  ２０１１−１８１０９９）の改良型であり、強度部材を兼ねる放熱性長尺金属製の、LED基板2を内蔵する溝形光源枠材3の二を、LEDを対向する長辺とし、非光源溝形枠材を両短辺とする枠体に、この枠体に略等しい平面寸法の漸増粗表面反射材4と光拡散材5とで挟接合形成した平面中空構成体6において、前記反射材の片面には、両光源より離れるにつれ中間線まで漸増する反射粗表面、例えば酸化チタンまたは硫酸バリウムを主成分とする反射性白色塗料によるドットパターン印刷式の漸増、つまり単位面積当りのドット数が増える反射粗表面が形成されており、
【００１６】
そして、対向した前記光源枠材間の中間線上には、中空構成体の内巾つまりに両側の非光源枠材の間隔に等しく、またその内高つまり反射材4と光拡散材5の間隔より小さくかつ所定厚さの、均一反射粗表面つまり乱反射性の両面中間反射体7が、両側の枠材と前記反射材4に垂直に接合配置され、前記光拡散材5には接合せずに所定の隙間4bを取り、電源モジュールとLED基板への接続配線を所定箇所に配置して構成する矩形中間反射体式照明装置である。なお前記隙間4bは光拡散材に前記中間反射体による暗線を現さないためであり、また中間反射体はその表面が白色塗料による均一の反射粗表面である。光源枠材間の距離の大きい細長形状の照明装置では、両面中間反射体の配置が光拡散材である照明面の均一化に大きく寄与する。また、反射材自体を前記中間線上で中間反射体に相当する折り曲をなしてもよい。
【００１７】
両LED光源から出た光のある部分は前記反射材4の漸増する反射粗表面で反射し、前記光拡散材5を順次透過して外部へ出て照明放光となり、放光面つまり光拡散材全面の均一的な明るさを感じさせることになり、また、前記両面中間反射体7に当る光は乱反射光となり、その大部分は前記反射体を離れるにつれ漸減しながら、放光面全体の明るさに寄与し、光源を両端面に配置するエッジサイド光源方式特有の中間部の明度の不足しやすい弱点を、中間部に配置する前記反射体７により抑制する。また、中間反射体の反射光の一部は直に前記光拡散材に至り、その反射体直下近傍より順次明るさの漸減する細い明るい帯状をなし、それが外部から視認されることになり、これが明るさの均一性によるフラットな感じを、明るい線模様でアクセントを付けメリハリのある照明放光面とする装飾的な効果を出すことになる。
なお反射材4は、中間反射体7を対称に光源枠材近傍より反射体まで所定下向き勾配の傾斜面または光源枠材より離れるにつれ曲率の増加する湾曲面でもよく、この場合、反射材は中間反射体の下辺に至らないものとし、反射材の粗表面は略均一でよい。また、LEDが複数段の基板もよく、各段毎のオン―オフによる明るさの、色別LEDの配置による調光の制御もよい。さらに反射材自体を中間位置で中間反射体に相当する折り曲げもよい。また、中空構成体の側内面となる非光源枠材に漸増反射粗面処置をするのもよい。
【００１８】
本発明の中間部反射体式照明装置２Bは、対向するLED光源枠材の間隔がより大きい場合、前記中間反射体とは別形の中間部反射体を使用するものであり、所定の長さと厚さで照明装置の内巾に略等しく両面が中間へ漸増する反射粗面である前記中間部反射体を、光源に対向する両端辺の中間線を装置のそれに合わせ、反射材に平行状ないし中間線部が光拡散材へ接近する曲面状に、かつ両側の枠材に接合配置し、さらに中間線位置で反射材と中間部反射体と接合しかつ両側の枠材にも接合する所定厚さの中間反射体を配置し、電源モジュールとLED基板への接続配線を所定箇所に配置して中間部反射体式の照明装置２Bが形成される（図省略）。なお、前記中間部反射体は、透明薄板の片面ないし両面に両端部より漸増する反射粗表面を有しかつ両端部は反射を抑えるため尖辺状であり、反射材とこの中間部反射体の漸増粗表面の作用と中間反射体の作用が相まってより均一性の高い放光面の照明装置となる。また、中間部反射体を反射材に透明接合材を介して固定してもよい。また、細長形装置に限らず幅広形装置にも中間部反射体を適用してよく、大型表示板に適する。
【００１９】
図2参照。本発明の直管型中間反射体式照明装置２Aは、前記と類似の中間反射体を直管８内部に配置するものであり、内周面の略半分を軸方向に白色反射剤を塗布し、均一ないし漸増粗面の半内周反射面を有するアクリルないしガラスの直管８の内部中間に、両面中間反射体９を管中心軸に垂直に配置し、この反射体はその半分は直管内径と等しい直径の半円形であり、前記半内周反射面に垂直に接合し、さらにその半円直径辺より内周非反射面つまり照明周面へ三日月状の隙間９ｂを残し延在してなる略円形の両面中間反射体９（図３参照）であり、さらにこの直管の両端を放熱体を兼ねるLED光源円筒体１１に嵌入接合して直管型中間反射体式照明装置２Aが形成される。なお、一方の光源円筒体に収まる電源モジュールと両端部のLEDへの接続配線を有するか、またはこの照明装置の架設台に配置した電源モジュールに接続する両端電源コンセント式もよい。前記中間反射体式と同様に直管中間部の明るさを確保し略均一の半周放光面となる。なお前記の隙間をとったのは前記矩形中間反射体式照明装置と同様に照明面に暗線の現れを抑えるためである。
【００２０】
前記同様の直管内に、その内径と略同じ巾で所定長さの両面漸増粗表面の透明性の平面反射体を、前記の内周反射面の両端辺を結ぶ内径位置に、前記同様に中間部反射体の中間線を装置のそれに合わせ配置し、LED光源円筒体の接合や電源モジュールなどの配置は前記直管型装置と同様の直管型中間部反射体式照明装置２Bが形成される（図省略）。さらに前記同様に中間反射体を併用する照明装置もよい。なお、直管型装置の製造方法は、内周反射面と照明放光面の半円柱材を、中間反射体や中間部反射体を設置後に合体し直管に形成する。
【００２１】
なお反射材や反射体の粗表面は前記方式の他、アルミ箔に微細突起や凸状細線を漸増形成したものなど多様であり、中間反射体は、反射材に接合する上辺が、光拡散材と隙間をなす下辺より厚いものもよく、これは中間反射体の乱反射光を光拡散材へ向かわせるためである。また以下の諸照明装置は、構造的には矩形中間反射式LED照明装置と略同様であり平面形状が異なるのみであり、別様の付加物についてそれぞれ説明する。                                    
【００２２】
図４参照。本発明の円形中間反射体式LED照明装置１C は、前記矩形照明装置を円形に変形した構造に略等しく、半周光源枠材二つを接合した環状枠体１２を円形の前記同様の白色ドット粗表面の反射材と光拡散材とで挟接合した中空構成の円盤体であり、前記光拡散材に対し所定の隙間を取り前記反射材に接合して、直線または曲線からなり円盤体中心点から等分割角度で外周方向へ両面中間反射体１３を伸展配置し、電源モジュールとLED基板への接続配線を有する照明装置である。また、細い乱反射性の円柱材または逆円錐材または逆円錐台柱材など略棒状反射体を中心点に、光拡散材との所定の隙間を取り配置してもよく、この場合、光拡散材である照明放光面に、中心から伸展する直線または曲線の明るい線模様や円盤中心に輝点が現れる。なお前記の逆円錐材などは逆円錐台柱材は中心の輝点をより明るくするためである。なお、円形反射材の反射粗表面は、例えば半周光源枠材の近傍より中央部へ漸増し、中央部は略均一でよく、また密な反射粗面でなる所定パターンを反射材に描き、照明面に同様の明るいパターンを現しアクセントを付けてもよく、さらに平面の反射材は外周近傍より中央部へ順次光拡散材に接近する凸状円盤もよい。
【００２３】
本発明の半円形反射式LED照明装置1Dは、前記円形中間反射式照明装置１Cを両面中間反射体に沿い二分割し、両半円体の分割面に片面乱反射面体を配置し、さらにその反射面体の中間点に前記同様に半円柱反射性体を配置し、電源モジュールとLED基板への接続配線を有する照明装置である（図省略）。この場合中間点に輝点が現れる。
【００２４】
本発明の三分円または四分円状の反射式LED照明装置１E、１Fは、前記半円形二分反射式照明装置を120度でまたは90度で切断したそれぞれの切断面に片面乱反射面体を配置し、さらに前記同様にそれぞれの分割角度の中心点に120度三分円柱または90度四分円柱など略棒状反射体を配置した、電源モジュールとLED基板への接続配線を有する三分円または四分円状の照明装置（図省略）である。前記同様の輝点効果を発現する。なお、分割角度は適宜決めてよい。
【００２５】
図5参照。本発明の長円形中間反射式LED照明装置１Gは、両短辺枠材と光拡散材を除いた矩形中間反射体式照明装置１Aの両短辺側面に、前記半円形反射式照明装置1D の分割面を接合し一体化し、電源モジュールと各LED基板への接続配線を有する照明装置である。この長円形LED照明装置は、中央部に直線状の明るい帯部、両側の半円側面の中間点にアクセントとなる明るい点のある装飾性を伴うのである。
【００２６】
前記矩形中間反射体式照明装置１Aと四分円状の反射式LED照明装置１Fとの組合わせで多様な平面形状の複合中間反射式照明装置を構成できる。その一例を説明する。
図6参照。矩形照明装置１Aの長辺に等しい正方形の四辺に照明装置１Aを接合配置し、短辺相互が直角をなす四の隅角部にその短辺に等しい半径の前記四分円照明装置１Fをそれぞれ接合し、中抜き準四角形の複合中間反射式照明装置を構成する。この複合装置は、その四の隅角部四分円の直角部に輝点および四の各矩形照明装置の中間線部にも明線が現れるメリハリ感のある照明装置である。このように、前記各中間反射式照明装置相互の組合せや諸反射式照明装置自体の組合せによる大小、長短、環状、非対称形の多様な複合中間反射式照明装置を構成できることは明瞭である。なお、前記各反射式照明装置から中間反射を除いた諸形状の反射式LED照明装置でも同様の複合反射式照明装置を構成してもよい。
【００２７】
前記中間部反射体式照明装置２Aの反射材を、内側面に漸増粗面を施した光拡散材に替えた両面を光拡散材で構成する両面放光中間部反射体式照明装置もよい。なお、すべての前記照明装置の光拡散材の内側面に反射材と同様の漸増粗面を施してもよい。
平板型の前記諸中間反射式照明装置は、天井に直接または吊り具を介して吊り下げ配置し、壁にも配置する。また中間反射式照明装置相互の接合には適宜接合材と補強材が施される。
【図面の簡単な説明】
【００２８】
【図１】本発明の矩形中間反射体式LED照明装置１Aの断面概要図である。
【図２】本発明の直管型中間反射体式照明装置１Bの断面概要図である。
【図３】図２のA−A断面図である。
【図４】本発明の円形中間反射体式LED照明装置１C の平面略図である。
【図５】本発明の長円形中間反射式LED照明装置１Gの平面略図である。
【図６】本発明の準四角形の複合中間反射式照明装置の平面略図である。
【符号の説明】
【００２９】
１A  矩形の中間反射体式LED照明装置、  
１B  直管型中間反射体式照明装置
1C  円形中間反射式LED照明装置、
１G  長円形中間反射式LED照明装置          
２  LED基板、  ３  光源溝形枠材、  ４  反射材、
4b  隙間、  ５  光拡散材、  ６  中空構成体、  
７  両面中間反射体、  ８  直管、  ９  両面中間反射体、
９ｂ  隙間、  １１  LED光源円筒体、  １２  環状枠体、
１３  両面中間反射体、
【図１】
2013145657.tif 000003
【図２】
2013145657.tif 000004
【図３】
2013145657.tif 000005
【図４】
2013145657.tif 000006
【図５】
2013145657.tif 000007
【図６】
2013145657.tif 000008